(57)【要約】【課題】筆記先端からの距離を変更することなく、回転方向によって把持感触の相違を得ることができる筆記具の軸筒を簡単な構造で提供する。【解決手段】本願発明は、軸筒本体に、他の軸筒の外径よりも小径の把持部を形成し、該把持部に軟質材からなるグリップ部材を装着してなる筆記具の軸筒において、グリップ部材の横断面の内壁形状を略真円形にするとともに、前記把持部の横断面の外壁形状を楕円形に形成したことを特徴とする。あるいは、前記グリップ部材の横断面の内壁形状及び前記把持部の横断面の外壁形状を略真円形にするとともに、前記把持部の外壁の中心が、軸筒本体の軸心に対して偏心した位置に形成してあることを特徴とする。【選択図】          図１
2007144701.tif 000002
【特許請求の範囲】
【請求項１】
軸筒本体に、他の軸筒の外径よりも小径の把持部を形成し、該把持部に軟質材からなるグリップ部材を装着してなる筆記具の軸筒において、グリップ部材の横断面の内壁形状を略真円形にするとともに、前記把持部の横断面の外壁形状を楕円形に形成したことを特徴とする筆記具の軸筒。
【請求項２】
軸筒本体に、他の軸筒の外径よりも小径の把持部を形成し、該把持部に軟質材からなるグリップ部材を圧入装着してなる筆記具の軸筒において、前記グリップ部材の横断面の内壁形状及び前記把持部の横断面の外壁形状を略真円形にするとともに、前記把持部の外壁の中心が、軸筒本体の軸心に対して偏心した位置に形成してあることを特徴とする筆記具の軸筒。
【発明の詳細な説明】
【技術分野】
【０００１】
本発明は、軸筒本体に、他の軸筒の外径よりも小径の把持部を形成し、該把持部に軟質材からなるグリップ部材を装着してなる筆記具の軸筒に関する。 
【背景技術】
【０００２】
従来から、軸筒本体に、他の軸筒の外径よりも小径の把持部を形成し、該把持部に軟質材からなるグリップ部材を装着してなる軸筒は知られている。
【０００３】
こうした筆記具の軸筒において、特開２００５−４１０４０号公報の「軸体」に、グリップ部材の外表面に環状突部を複数設け、この環状突部の幅及び／または環状溝部の幅を異ならしめ、グリップ部材の把持感触が良好となる筆記具の軸筒が開示されている。
【０００４】
また、実開平７−１５３７３号公報「軸体のグリップ」には、グリップ部材と軸筒との間に空隙部を形成し、把持した時にグリップ部材が内側に撓む構造とし、弾力を得られる筆記具の軸筒が開示されている。
【特許文献１】「特開２００５−４１０４０号公報」
【特許文献２】「実開平７−１５３７３号公報」
【発明の開示】
【発明が解決しようとする課題】
【０００５】
確かに、グリップ部材を把持した時に、親指及び／又は中指が当接し、把持する力によってグリップ部材を変形させて、把持感触を変更することは可能である。しかしながら使用者には、硬い把持感触を好む人と、軟らかい把持感触を好む人と、好みは様々である。
【０００６】
ところで、筆記具を把持する位置は、グリップ部材の軸筒先端側を把持する人と、グリップ部材の軸筒後端側を把持する人と、筆記先端からの距離は、軸筒の外径やインキの種類によっても多少異なるが、人によって好みがあるのが現状である。
【０００７】
前述した特許文献１、２では、把持力によっても異なるが、筆記先端からの距離によってグリップの撓む量が略決定されるので、結果として把持感触も決まってしまう。そのため、把持感触を変更するには、筆記具を把持する位置（筆記先端からの距離）を変更することが必要であった。
【０００８】
本発明の目的は、筆記先端からの距離を変更することなく、回転方向によって把持感触の相違を得ることができる筆記具の軸筒を簡単な構造で提供することである。
【課題を解決するための手段】
【０００９】
本発明は、軸筒本体に、他の軸筒の外径よりも小径の把持部を形成し、該把持部に軟質材からなるグリップ部材を装着してなる筆記具の軸筒において、グリップ部材の横断面の内壁形状を略真円形にするとともに、前記把持部の横断面の外壁形状を楕円形に形成したことを特徴とする。
【００１０】
また、軸筒本体に、他の軸筒の外径よりも小径の把持部を形成し、該把持部に軟質材からなるグリップ部材を圧入装着してなる筆記具の軸筒において、前記グリップ部材の横断面の内壁形状及び前記把持部の横断面の外壁形状を略真円形にするとともに、前記把持部の外壁の中心が、軸筒本体の軸心に対して偏心した位置に形成してあることを特徴とする。
【００１１】
本発明の軟質材は、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定すればよい。
【発明の効果】
【００１２】
筆記先端からの距離を変更することなく、回転方向によって把持感触の相違を得ることができる筆記具の軸筒を簡単な構造で提供することができた。
【発明を実施するための最良の形態】
【００１３】
次に図面を参照しながら、本発明の筆記具の軸筒の実施例を説明するが、本発明は以下の実施例に限定されるものではない。
【実施例１】
【００１４】
図１から図４に示す実施例１の筆記具の軸筒１は、軸筒本体２に他の軸筒本体の外径より小径の把持部３を形成してあり、この把持部３に半透明のシリコーンゴムからなる円筒形のグリップ部材５を装着して筆記具の軸筒１を得ている。また、軸筒本体２の先端部に形成した雄ねじ部７に口金６の雌ねじ部８を着脱自在に螺合してある。
【００１５】
小径の把持部３は、横断面形状における外壁形状を楕円形、内壁形状を略真円形に形成してある。また、グリップ部材５の横断面形状の内壁形状を略真円形に、把持部１３を、横断面形状における外壁形状を楕円形に形成することによって、グリップ部材５を把持部３に装着すると、把持部３の短径Ｋ側とグリップ部材５の内壁との間に隙間４が形成され、この部分を指で把持すると、グリップ部材５が内側に撓み柔らかい把持感触を得ることができる。
【００１６】
また、把持部３を、横断面形状における外壁形状を楕円形に形成することによって、図２に示すように、矢印Ｐ、Ｒ方向のグリップ部材５の内壁と把持部外壁に隙間４を有する部分では柔らかい把持感触、矢印Ｑ、Ｓ方向では隙間のない部分では硬い把持感触を得ることができ、回転方向によって把持感触が相違する。
【００１７】
具体的には、回転方向において、短径Ｋ側から長径Ｌ側に向かって隙間４の幅Ｎが徐々に小さくなるので、これに対応して把持感触も、柔らかい把持感触から硬い把持感触、或いは硬い把持感触から柔らかい把持感触に徐々に変化していくので、好みの硬さの部分を把持することができる。
【００１８】
また、把持する位置（把持部先端３ａからの距離）が変化しても一定方向（例えば図５の矢印Ｐ方向）での把持感触は同一であるので、筆記先端からの距離のみによって把持感触が相違することはない。
【００１９】
把持部の横断面の外壁形状を楕円形にすることによって、他の形状、例えば、三角形や四角形に比べて成形性も良好で、寸法精度も高く、把持した感触も良好である。
【実施例２】
【００２０】
図５から図７に示す実施例２の筆記具の軸筒１１は、実施例１と同様に、軸筒本体１２に他の軸筒本体の外径より小径の把持部１３を形成してあり、この把持部１３に半透明のシリコーンゴムからなる円筒形のグリップ部材１５を装着して筆記具の軸筒１１を得ている。また、軸筒本体１２の先端部に形成した雄ねじ部１７に口金１６の雌ねじ部１８を着脱自在に螺合してある。
【００２１】
グリップ部材５の横断面の内壁形状と把持部１３の横断面における外壁形状を略真円形にするとともに、把持部１３の外壁の中心Ｇを軸筒本体１２の軸心Ｊに対して偏心した位置にしてあるので、グリップ部材１５を把持部１３に装着すると、把持部１３の外壁を偏心させた分、グリップ部材１５の内壁との間に隙間１４が形成され、この部分を指で把持すると、グリップ部材１５が内側に撓み柔らかい把持感触を得ることができる。
【００２２】
具体的には、把持部１３の外壁の軸心Ｇを軸筒本体の軸心Ｊに対して偏心した位置にしたことによって、図６に示すように、矢印Ｐ方向のグリップ部材１５の内壁と把持部１３の外壁に大きな隙間１４を有するＭ１部分では柔らかい把持感触、矢印Ｒ方向の隙間のないＭ２部分では硬い把持感触、矢印Ｑ、Ｓ方向のグリップ部材５の内壁と把持部外壁に小さな隙間１４を有する部分では、矢印Ｐ方向よりも硬く、矢印Ｒ方向よりも柔らかい把持感触を得ることができ、回転方向によって把持感触が相違する。
【００２３】
また、実施例１と同様に、把持する位置が、把持部先端１３ａからの距離が変化しても一定方向（例えば図５の矢印Ｐ方向）での把持感触は同一であるので、筆記先端からの距離のみによって把持感触が相違することはない。
【００２４】
さらに、把持部１３の外壁を偏心するだけで、外壁を略真円形に形成してあるので、金型製作が容易であり、成形性も良好で、寸法精度も高く、把持した感触も良好である。
【００２５】
本実施例では、便宜上、筆記体を図示していないが、筆記具として使用する場合には、軸筒内にボールペンレフィル等の筆記体を配設して使用する。
【産業上の利用可能性】
【００２６】
キャップ式、ノック式等、筆記具の軸筒として広く実施可能であり、ボールペンや塗布具等、インキの種類に限定されるこのなく実施することができる。
【図面の簡単な説明】
【００２７】
【図１】実施例１の筆記具の軸筒を示す一部省略した縦断面図である。
【図２】図１におけるＡ−Ａ拡大断面図である。
【図３】図１における、Ｐ方向からみた軸筒本体の一部省略した外観図である。
【図４】図１における、Ｒ方向からみた軸筒本体の一部省略した外観図である。
【図５】実施例２の筆記具の軸筒を示す一部省略した縦断面図である。
【図６】図５におけるＢ−Ｂ拡大断面図である。
【図７】図５における、Ｑ又Ｓは方向からみた軸筒本体の一部省略した外観図である。
【符号の説明】
【００２８】
１、１１  筆記具の軸筒
２、１２  軸筒本体
３、１３  把持部
４、１４  隙間
５、１５  クリップ部材
６、１６  口金
７、１７  雄ねじ部
８、１８  雌ねじ部
【図１】
2007144701.tif 000003
【図２】
2007144701.tif 000004
【図３】
2007144701.tif 000005
【図４】
2007144701.tif 000006
【図５】
2007144701.tif 000007
【図６】
2007144701.tif 000008
【図７】
2007144701.tif 000009